(57)【要約】【課題】携帯電話に内蔵されたＨＤＤの温度上昇を抑制する。【解決手段】携帯電話は通信用アンテナ９を有し、かつ情報記憶用のディスク装置８を内蔵し、ディスク装置８からの熱が熱伝導によりアンテナ９へ伝熱されるようにディスク装置８とアンテナ９の間に介装される電気絶縁材１０を備える。この電気絶縁材１０は、シート状の熱伝導部材であり、一端部がディスク装置８の外周面を覆うようにしてディスク装置８に密着され、他端部がアンテナ９の周面を覆うようにしてアンテナ９に密着される。【選択図】図１
2007135134.tif 000002
【特許請求の範囲】
【請求項１】
通信用アンテナを有し、かつ情報記憶用のディスク装置が内蔵された携帯通信端末であって、
前記ディスク装置からの熱が熱伝導により前記アンテナへ伝熱されるように前記ディスク装置と前記アンテナの間に介装される電気絶縁材を備えることを特徴とする携帯通信端末。
【請求項２】
請求項１に記載の携帯通信端末において、
前記電気絶縁材は、シート状の熱伝導部材であることを特徴とする携帯通信端末。
【請求項３】
請求項２に記載の携帯通信端末において、
前記熱伝導部材の端部は、前記アンテナの外周面を覆うようにして前記アンテナに密着されることを特徴とする携帯通信端末。
【請求項４】
請求項２に記載の携帯通信端末において、
前記熱伝導部材の端部は、前記ディスク装置の外周面を覆うようにして前記ディスク装置に密着されることを特徴とする携帯通信端末。
【請求項５】
請求項２〜４のいずれか１項に記載の携帯通信端末において、
各種部品を収容する第１の本体部と、この第１の本体部に連結部を介して回動可能に連結される、各種部品を収容する第２の本体部とを有し、
前記アンテナは、前記第１の本体部に設けられ、
前記ディスク装置は、前記第２の本体部に内蔵され、
前記熱伝導部材は、前記連結部の内部を貫通して前記第１の本体部から前記第２の本体部にかけて延設されることを特徴とする携帯通信端末。
【請求項６】
請求項１〜４のいずれか１項に記載の携帯通信端末において、
さらに撮像素子を有するとともに、互いに平行な第１の面と第２の面、およびこの第１の面と第２の面に相互に直交し、互いに平行な第３の面と第４の面とにより外形が規定される本体部を有し、
前記アンテナは、前記第２の面よりも前記第１の面に寄せて設けられる一方、前記ディスク装置は、前記第４の面よりも前記第３の面に寄せて設けられ、
前記撮像素子は、前記第１の面よりも前記第２の面に寄せて、かつ、前記第３の面よりも前記第４の面に寄せて設けられることを特徴とする携帯通信端末。
【請求項７】
請求項５に記載の携帯通信端末において、
さらに前記第１の本体部に配設される撮像素子を有し、
前記アンテナは、前記第１の本体部の一端側に寄せて設けられ、前記撮像素子は、前記第１の本体部の他端側に寄せて設けられることを特徴とする携帯通信端末。
【請求項８】
請求項５に記載の携帯通信端末において、
さらに前記第２の本体部に配設される撮像素子を有し、
前記ディスク装置は、前記第２の本体部の一端側に寄せて設けられ、前記撮像素子は、前記第２の本体部の他端側に寄せて設けられることを特徴とする携帯通信端末。
【発明の詳細な説明】
【技術分野】
【０００１】
本発明は、ＨＤＤ等のディスク装置を内蔵した携帯通信端末に関する。
【背景技術】
【０００２】
近年、携帯電話の多機能化，高機能化が進んでおり、携帯電話に通話機能だけでなく例えば映像や音楽の視聴機能等を備えたものがある。この種の携帯電話には大容量の記憶装置が必要であり、例えばＨＤＤを内蔵した携帯電話が知られている（特許文献１参照）。この特許文献１記載の携帯電話は、本体部に対して回動可能に表示部を設けるとともに、本体部にＨＤＤを内蔵し、表示部からＨＤＤへの入熱を抑えるようにしている。
【０００３】
【特許文献１】特開２００５−２８４３３５号公報
【発明の開示】
【発明が解決しようとする課題】
【０００４】
しかしながら、表示部からＨＤＤへの入熱を抑えたとしても、ＨＤＤはそれ自体が発熱するため、ＨＤＤおよびその周囲の部品の温度上昇を効果的に抑制することができない。
【課題を解決するための手段】
【０００５】
本発明は、通信用アンテナを有し、かつ情報記憶用のディスク装置が内蔵された携帯通信端末であって、ディスク装置からの熱が熱伝導によりアンテナへ伝熱されるようにディスク装置とアンテナの間に介装される電気絶縁材を備えることを特徴とする。
電気絶縁材を、シート状の熱伝導部材により構成することが好ましい。
この場合、熱伝導部材の端部を、アンテナの外周面を覆うようにしてアンテナに密着させることができ、ディスク装置の外周面を覆うようにしてディスク装置に密着させることもできる。
第１の本体部と、この第１の本体部に連結部を介して回動可能に連結される第２の本体部とを有し、アンテナが第１の本体部に設けられ、ディスク装置が第２の本体部に内蔵され、熱伝導部材が連結部の内部を貫通して第１の本体部から第２の本体部にかけて延設されるようにしてもよい。
さらに撮像素子を有するとともに、互いに平行な第１の面と第２の面、およびこの第１の面と第２の面に相互に直交し、互いに平行な第３の面と第４の面とにより外形が規定される本体部を有するものでもよい。この場合、アンテナが第２の面よりも第１の面に寄せて設けられる一方、ディスク装置が第４の面よりも第３の面に寄せて設けられ、撮像素子が第１の面よりも第２の面に寄せて、かつ、第３の面よりも第４の面に寄せて設けられることが好ましい。
各種部品を収容する第１の本体部と各種部品を収容する第２の本体部を回動可能とした場合には、第１の本体部に撮像素子を配設し、アンテナを、第１の本体部の一端側に寄せて設け、撮像素子を、第１の本体部の他端側に寄せて設けてもよい。あるいは、第２の本体部に撮像素子を配設し、ディスク装置を、第２の本体部の一端側に寄せて設け、撮像素子を、第２の本体部の他端側に寄せて設けてもよい。
【発明の効果】
【０００６】
本発明によれば、携帯通信端末に内蔵された情報記憶用のディスク装置の温度上昇を効果的に抑えることができる。
【発明を実施するための最良の形態】
【０００７】
−第１の実施の形態−
以下、図１を参照して本発明による携帯通信端末を携帯電話に適用した第１の実施の形態について説明する。
図１（ａ）は、第１の実施の携帯に係る携帯電話の内部構造を示す正面図であり、図１（ｂ）は携帯電話を図１（ａ）のｂ−ｂ線で切断した横断面図、図１（ｃ）は図１（ａ）のｃ−ｃ線で切断した縦断面図である。なお、ここでは図示のように携帯電話の上下左右および前後方向を定義し、この定義にしたがって各部の配置を説明する。
【０００８】
図１の携帯電話は、互いに平行な上面１００ａ，下面１００ｂおよび左面１００ｃ，右面１００ｄおよび前面１００ｅ，後面１００ｆにより外形が規定された本体１００を有し、左右方向の幅に対して前後方向の厚みが薄い薄型形状を呈する。樹脂製のボディ１によって覆われた本体１００の上部にはＬＣＤ２が配設され、ＬＣＤ２の前面はアクリル製の保護パネル３により全体が覆われている。本体１００の下部には電話番号等を入力する複数（図では１２個）の操作ボタン４が設けられ、操作ボタン４の後方に基板５が配設されている。基板５には各操作ボタン４に対応してドームスイッチ６が設けられ、ドームスイッチ６により操作ボタン４の操作が検出される。基板５の後方にはバッテリ７が配設されている。
【０００９】
基板５の後方には小型（例えば１インチ程度）でかつ大容量のＨＤＤ８（Hard Disk Drive）が配設されている。ＨＤＤ８は、ＨＤＤケース内に回転可能に設けられたハードディスクを有し、このケース内で高速回転させたハードディスクに磁気ヘッドを近づけて、ハードディスクからの情報を読み書きするように構成した記憶装置であり、ハードディスクには例えばデジタル映像や音楽、ゲームプログラム等の各種情報を記憶することができる。ボディ１の内表面には複数箇所に突起状のＨＤＤ支持部１ａが設けられ、ＨＤＤ８（ＨＤＤケース）の周縁部はこのＨＤＤ支持部１ａによって支持されている。
【００１０】
ＨＤＤ８の左側方である本体１００の左端部には、略円柱状の通信用のアンテナ９がＨＤＤ８から離間して上下方向に延設されている。アンテナ９の上端はボディ１の上端面から突出し、下端部はＨＤＤ８の下端面よりも下方において、ボディ１に設けられたアンテナ支持部１ｂにより支持されている。アンテナ９の長さは、使用する電波の波長に応じた長さに設定されている。アンテナ９は少なくともボディ１よりも熱伝導性のよい材質によって形成されている。なお、本体１００にはマイクやスピーカ等も配設されるが、これらの図示は省略する。
【００１１】
ところで、本実施の形態に係る携帯電話のボディ１内にはＨＤＤ８が組み込まれるが、ＨＤＤ８は情報の読み書き時に作動し、それ自体が発熱する。そのため、ＨＤＤ８を熱源としてボディ１の温度が上昇し、電話の操作者に不快感を与えるばかりか、基板５等の内部部品の温度上昇を招き、携帯電話の寿命や性能に悪影響を与えるおそれがある。これを防ぐために、本実施の形態では以下のようにＨＤＤ８とアンテナ９を伝熱シート１０を介して接続し、ＨＤＤ８からの熱をアンテナ９を介して外部に放熱する。
【００１２】
伝熱シート１０は、熱伝導率が高く可撓性のあるシート状（例えば厚さ０．２ｍｍ〜０．３ｍｍ程度）の電気絶縁材により構成され、片面には接着剤が塗布された接着面が形成されている。この伝熱シート１０の一端部は、図１（ｂ）に示すようにＨＤＤ８の前面から右側面および後面にかけてＨＤＤ８の表面全体を覆うように接着され、他端部は、アンテナ９の周面にアンテナ９の全周を覆うように接着されている。
【００１３】
伝熱シート１０は弾力性もあり、ＨＤＤ８とＨＤＤ支持部１ａとの間に介装されてＨＤＤ８の緩衝材としても機能している。伝熱シート１０はＨＤＤ８とアンテナ９とＨＤＤ支持部１ａに接触する以外、他の部品（ボディ１やＬＣＤ２や基板５等）からは離間して設けられ、伝熱シート１０の周囲には空気層１１が形成されている。なお、伝熱シート１０とＨＤＤ支持部１ａの接触面積は、伝熱シート１０とアンテナ９の接触面積よりも小さい。
【００１４】
第１の実施の形態に係る携帯通信端末の主要な動作を説明する。
例えば携帯電話を用いて映像や音楽等を視聴するときは、ハードディスクからの情報の読み書きを行うため、ＨＤＤ８が作動して発熱する。ＨＤＤ８の表面は熱伝導率の高い伝熱シート１０により覆われているため、ＨＤＤ８からの熱は伝熱シート１０に効率よく伝えられる。この伝熱シート１０に伝えられた熱の大部分は、ＨＤＤ支持部１ａよりも接触面積が大きく、かつ、熱伝導率の高いアンテナ９に伝熱され、外部に露出したアンテナ９の先端部から放熱される。
【００１５】
これによりＨＤＤ８の温度上昇を抑えることができ、ＨＤＤ８からの熱によりボディ１や基板５等が高温となることを防ぐことができる。この場合、携帯電話の利用者は、ＨＤＤ８の作動時にアンテナ９に触れる必要がないため、アンテナ９からの放熱により利用者に不快感を与えることはない。また、伝熱シート１０はアンテナ９の周面に密着されるが、伝熱シート１０は電気絶縁材なので、アンテナ９の特性を損なうこともない。
【００１６】
以上の第１の実施の形態によれば以下のような作用効果を奏することができる。
（１）熱伝導性の高い電気絶縁材である伝熱シート１０の一端部にＨＤＤ８を接着し、伝熱シート１０の他端部にアンテナ９を接着するので、ＨＤＤ８からの熱をアンテナ９を介して外部に放熱することができ、ＨＤＤ８の温度上昇を効果的に抑制することができる。
（２）伝熱シート１０は可撓性のあるシート状部材であるため、ＨＤＤ８とアンテナ９に容易に接着することができ、ＨＤＤ８とアンテナ９の配置の自由度に対する制約は少ない。
（３）ＨＤＤ８の外周面を伝熱シート１０により覆うので、ＨＤＤ８からの熱の大部分が伝熱シート１０に伝えられ、空気層１１を介してのボディ１や基板５への伝熱を抑制することができる。
（４）アンテナ９の外周面を伝熱シート１０により覆うので、伝熱シート１０とアンテナ９の接触面積が大きくなり、ＨＤＤ８からの熱をアンテナ９に効率よく伝熱することができる。
（５）伝熱シート１０はＨＤＤ８とＨＤＤ支持部１ａの間に介装し、緩衝材としても機能するので、専用の緩衝材を設ける必要がない。
（６）ＨＤＤ８の周縁部の一部をＨＤＤ支持部１ａによって支持するので、伝熱シート１０とＨＤＤ支持部１ａとの接触面積は小さく、ボディ１側への伝熱量を少なくすることができる。
【００１７】
−第２の実施の形態−
図２を参照して本発明による携帯通信端末の第２の実施の形態について説明する。
第１の実施の形態では、ＬＣＤ２が配置される表示部と操作ボタン４が配置される操作部を単一の本体１００に設けた携帯電話に適用したが、第２の実施の形態では、操作部に対して表示部が回動可能な折り畳み式の携帯電話に適用する。
【００１８】
図２（ａ）は、第２の実施の携帯に係る携帯電話の内部構造を示す正面図であり、図２（ｂ）は携帯電話を図２（ａ）のｂ−ｂ線で切断した横断面図、図２（ｃ）は図２（ａ）のｃ−ｃ線で切断した縦断面図、図２（ｄ）は図２（ａ）のｄ−ｄ線で切断した横断面図である。なお、図１と同一の箇所には同一の符号を付し、以下では第１の実施の形態との相違点を主に説明する。
【００１９】
下本体１０２（操作部）にはヒンジ部１０４を介して上本体１０３（表示部）が回動可能に連結され、図２は下本体１０２に対して上本体１０３を開いた状態を示している。図２（ｃ）に示すように下本体１０２側のヒンジ部１０４は、上本体１０３の厚さ分だけ前方に突出した形状（断面略Ｌ字状）をなし、上本体１０３を折り畳んだときに上本体１０３は段差なく下本体１０２に収容される。
【００２０】
下本体１０２の前面には操作ボタン４が設けられ、操作ボタン４の後方に基板５（以下、下基板と呼ぶ）が配設されている。下基板５の後方には下基板５から離間してＨＤＤ８が配設され、ＨＤＤ８の後方にバッテリ７と一体の電池パック２１が配設されている。電池パック２１はボディ１に対して着脱可能であり、下本体１０２の外観の一部を形成している。
【００２１】
上本体１０３にはＬＣＤ２が配設され、ＬＣＤ２の前面は保護パネル３により覆われている。ＬＣＤ２の後方には上基板２２が配設されている。ＬＣＤ２と上基板２２の左方にはアンテナ９が設けられ、アンテナ９の上端はボディ１の上端面から突出し、下端部はアンテナ支持部１ｂにより支持されている。上本体１０３の後面にはカメラレンズ２３が装着され、カメラレンズ２３はアンテナ９とヒンジ部１０４の双方から離れた上本体１０３の右上角部の近傍に配置されている。カメラレンズ２３の奥方（前方）にはＣＣＤ２４が配設され、カメラレンズ２３からＣＣＤ２４にかけて周囲からの光を遮断する光遮断ゴム２５が設けられている。
【００２２】
ヒンジ部１０４を構成する下本体１０２の上端部と上本体１０３の下端部はそれぞれ凹凸状に形成され、これらは回動可能に嵌合している。すなわち下本体１０２の上端部には左右一対の凸部１０２ａ，１０２ｂが設けられ、上本体１０３の下端部には左右一対の凸部１０３ａ，１０３ｂが設けられて、凸部１０２ａと１０２ｂの間の凹部に凸部１０３ｂが嵌合し、凸部１０３ａと１０３ｂの間の凹部に凸部１０２ａが嵌合している。凸部１０２ａと１０３ａおよび凸部１０２ｂと１０３ｂはそれぞれ左右方向に延設されたヒンジ軸２６を介して互いに回動可能に連結されている。
【００２３】
凸部１０２ａと１０２ｂの間において下基板５の上端部にはコネクタ２７を介してフレキシブル基板２８の一端部が接続されている。このフレキシブル基板２８は上方に向けて延設され、凸部１０３ｂの内部で左方に向けて屈曲された後、凸部１０２ａの内部で上方に向けて屈曲され、フレキシブル基板２８の他端部は凸部１０３ａと１０３ｂの間においてコネクタ２９を介して上基板２２に接続されている。これによりヒンジ部１０４を通過したフレキシブル基板２８を介して、基板５，２２同士が電気的に接続される。
【００２４】
ＨＤＤ８の表面には、その後面から左側面および前面にかけて下基板５から離間した状態で伝熱シート１０の一端部が接着されている。ＨＤＤ８の前面の伝熱シート１０の上端は、フレキシブル基板２８の形状に沿って細長に形成されて、フレキシブル基板２８に貼り付けられ、フレキシブル基板２４と一体にヒンジ部１０４を通過している。ヒンジ部１０４を通過した伝熱シート１０は、上基板２２から離間した状態でアンテナ９に向けて左方に延設されるとともに、アンテナ９の近傍において上方に拡大され、伝熱シート１０の他端部はアンテナ９の外周面を覆うように接着されている。
【００２５】
第２の実施の形態では、ヒンジ部１０４に伝熱シート１０を挿通するため、下本体１０２に設けたＨＤＤ８からの熱が伝熱シート１０を介して上本体１０３に設けたアンテナ９に伝熱され、アンテナ９の先端から外部に放熱される。このためＨＤＤ８とアンテナ９が別々の本体１０２，１０３に配置される場合であっても、ＨＤＤ８の温度上昇を抑えることができ、ＨＤＤ８からの熱によりボディ１や基板５が高温となることを防ぐことができる。また、上本体１０３の右上角部の近傍にＣＣＤ２４を配置するため、ＨＤＤ８とアンテナ９から離れた位置にＣＣＤ２４が配置されることとなり、ＨＤＤ８からの熱の影響をＣＣＤ２４が受けにくく、良好な撮影を行うことができる。
【００２６】
なお、第２の実施の形態に係る携帯電話だけでなく、第１の実施の形態に係る携帯電話の本体１００にもカメラレンズ２３を取り付けて、カメラ付き携帯電話とすることができる。この場合、例えばアンテナ９を本体１００（本体部）の左面１００ｃ（第１の面）に寄せて設け、ＨＤＤ８を本体１００の下面１００ｂ（第３の面）に寄せて設けるとともに、撮像素子としてのＣＣＤ２４をこれらの反対側、つまり本体１００の右面１００ｄ（第２の面）かつ上面１００ａ（第４の面）に寄せて設ければよい。これによりＨＤＤ８からの熱の影響をＣＣＤ２４が受けにくくなる。なお、ＣＣＤ２４がアンテナ９とＨＤＤ８の反対側に寄せて配置されるのであれば、アンテナ９とＨＤＤ８とＣＣＤ２４の配置はこれに限らない。
【００２７】
上記第２の実施の形態では、第１の本体部としての上本体１０３と第２の本体部としての下本体１０２を、連結部としてのヒンジ部１０４を介して回動可能に連結したが、第１の本体部と第２の本体部と連結部の構成は上述したものに限らず、上下方向以外に回動可能であってもよい。第１の本体部と第２の本体部に収容される各種部品も上述したものに限らない。ＣＣＤ２４を上本体１０３のアンテナ９の反対側に配置したが、アンテナ９とＨＤＤ８とＣＣＤ２４の配置はこれに限らず、ＨＤＤ８とＣＣＤ２４を同一の本体内に設けてもよい。その場合にはＨＤＤ８の反対側にＣＣＤ２４を配置すればよい。第２の実施の形態において、フレキシブル基板２８を用いずにヒンジ部内に配線してもよく、その場合には、配線を包むように伝熱シート１０を筒状に形成してもよい、
【００２８】
なお、上記実施の形態では、通信用のアンテナ９の先端をボディ１から突出させるようにしたが、ボディ１に内蔵するようにしてもよい。すなわち内蔵アンテナを用いることもできる。この場合、ボディ１のアンテナ内蔵の部分を薄肉形状とし、薄肉のボディ１を介してアンテナから外部への放熱性を高めるようにすることが好ましい。シート状の熱伝導部材である伝熱シート１０を介してＨＤＤ８からアンテナ９へ伝熱するようにしたが、伝熱シート１０以外の電気絶縁材を介してＨＤＤ８からアンテナ９へ伝熱するようにしてもよい。例えば絶縁性のある接着剤を介してＨＤＤ８とアンテナ９を接着し、ＨＤＤ８からアンテナ９へ熱伝導により伝熱するようにしてもよい。
【００２９】
以上では、ＨＤＤ８を内蔵した携帯電話に本発明を適用したが、他の情報記憶用のディスク装置を内蔵した携帯電話であって、このディスク装置の発熱が問題となるようなものにも本発明を同様に適用することができる。また、携帯電話以外の携帯通信端末（例えば通信機能を有するＰＤＡ等）にも本発明を適用することが可能である。すなわち、本発明の特徴、機能を実現できる限り、本発明は実施の形態の携帯通信端末に限定されない。なお、以上の説明はあくまで一例であり、発明を解釈する際、上記実施形態の記載事項と特許請求の範囲の記載事項の対応関係になんら限定も拘束もされない。
【図面の簡単な説明】
【００３０】
【図１】本発明の第１の実施の形態に係る携帯通信端末としての携帯電話を示す図。
【図２】本発明の第２の実施の形態に係る携帯通信端末としての携帯電話を示す図。
【符号の説明】
【００３１】
８  ＨＤＤ
９  アンテナ
１０  伝熱シート
２４  ＣＣＤ
１００  本体
１００ａ  上面
１００ｂ  下面
１００ｃ  左面
１００ｄ  右面
１０２  下本体
１０３  上本体
１０４  ヒンジ部
【図１】
2007135134.tif 000003
【図２】
2007135134.tif 000004